(57)【要約】【課題】電力供給システムが開示される。【解決手段】本発明の一実施例による電力供給システムは、バッテリエネルギー貯蔵システムの充放電を制御する充電制御部と、前記バッテリエネルギー貯蔵システムから出力された電気エネルギー量を受信し、前記受信された電気エネルギー量及び複数の充電制御部の定格出力に基づいてそれぞれの充電制御部別に配分される電気エネルギー量を判断し、判断結果に基づいて複数の充電制御部を並列的に制御するシステム制御部と、を含む。【選択図】図５Ｂ
2016158483.tif 000002
【特許請求の範囲】
【請求項１】
電力供給システムの制御方法において、
バッテリエネルギー貯蔵システムから出力された電気エネルギー量を受信するステップと、
前記受信された電気エネルギー量及び複数の充電制御部の定格出力に基づいてそれぞれの充電制御部別に配分される電気エネルギー量を判断するステップと、
判断結果に基づいて複数の充電制御部を並列的に制御するステップと、を含み、
前記配分される電気エネルギー量を判断するステップは、
前記電力供給システムに入力された時間情報、気象情報及びバッテリ残量情報のうち少なくとも一つを前記定格出力と共に考慮して判断するステップを更に含む、バッテリ電力供給システムを含む電力供給システムの制御方法。
【請求項２】
前記それぞれの充電制御部別に配分される電気エネルギー量は、前記それぞれの充電制御部別定格出力の大きさに応じて判断される、請求項１に記載のバッテリ電力供給システムを含む電力供給システムの制御方法。
【請求項３】
前記複数の充電制御部を並列的に制御するステップは、前記複数の充電制御部のうち一部のみを前記判断結果に基づいて制御するステップを含む、請求項１または２に記載のバッテリ電力供給システムを含む電力供給システムの制御方法。
【請求項４】
バッテリエネルギー貯蔵システムの充放電を制御する充電制御部と、
前記バッテリエネルギー貯蔵システムから出力された電気エネルギー量を受信し、前記受信された電気エネルギー量及び複数の充電制御部の定格出力に基づいてそれぞれの充電制御部別に配分される電気エネルギー量を判断し、判断結果に基づいて複数の充電制御部を並列的に制御するシステム制御部と、を含む、バッテリ電力供給システムを含む電力供給システム。
【請求項５】
前記システム制御部は、前記それぞれの充電制御部別に配分される電気エネルギー量を前記それぞれの充電制御部別定格出力の大きさに応じて判断する、請求項４に記載のバッテリ電力供給システムを含む電力供給システム。
【請求項６】
前記システム制御部は、複数の充電制御部のうち一部のみを前記判断結果に基づいて制御する、請求項４または５に記載のバッテリ電力供給システムを含む電力供給システム。
【請求項７】
前記システム制御部は、前記電力供給システムに入力された時間情報、気象情報及びバッテリ残量情報のうち少なくとも一つを前記定格出力と共に考慮して判断する、請求項４に記載のバッテリ電力供給システムを含む電力供給システム。
【発明の詳細な説明】
【技術分野】
【０００１】
本発明は電力系統での補助サービスを提供するものであって、特にバッテリの出力を制御する充電制御部の動作方法に関するものである。
【背景技術】
【０００２】
電気エネルギーは変換と伝送が容易で広く使用されている。このような電気エネルギーを効率的に使用するために、バッテリ電力供給システムを使用する。バッテリ電力供給システムは電力を供給されて充電する。また、バッテリ電力供給システムは電力が必要であれば充電された電力を放電して電力を供給する。それを介し、バッテリ電力供給システムは電力を流動的に供給するようにする。
【０００３】
詳しくは、発電システムがバッテリ電力供給システムを含む場合には以下のように動作する。バッテリ電力供給システムは負荷または系統が過負荷であれば貯蔵されたエネルギーを放電する。また、負荷または系統が軽負荷であればバッテリ電力供給システムは発電装置または系統から電力を供給されて充電する。
【０００４】
また、発電システムとは関係なくバッテリ電力供給システムが独立に存在する場合、バッテリ電力供給システムは外部の電力供給源から遊休電力を供給されて充電する。また、系統または負荷が過負荷であれば、バッテリ電力供給システムは充電された電力を放電して電力を供給する。
【０００５】
電力供給システムとは、発電所で過剰生産された電力または不規則に生産される新再生エネルギーを貯蔵しておいてから、一時的に電力が不足な際に送電する貯蔵装置をいう。
【０００６】
詳しくは、電力供給システムとは、エネルギーを必要な時及び場所に供給するために電気電力系統に電気を貯蔵しておくシステムをいう。言い換えると、従来の二次電池のように一つの製品にシステムが統合されたストレージで構成される一つの集合体である。
【０００７】
最近急速に成長している新再生エネルギーである風力発電の際に、不安定な発電エネルギーを貯蔵してから必要な時点で安定的に電力系統に更に供給する必須装置として、電力供給システムの重要性が頭を擡げている。もし、電力供給システムがなければ、風や太陽光に依存する不安定な電力供給のため電力系統に急に電気が切れるなど深刻な問題が発生する恐れがある。よってこのような環境でストレージが非常に重要な分野に頭を擡げており、家庭用電力貯蔵システムまで拡張されている。
【０００８】
このような電力供給システムは電力系統で発電、送配電、需要家に設置されて利用されており、周波数調整（Ｆｒｅｑｕｅｎｃｙ  Ｒｅｇｕｌａｔｉｏｎ）、新再生エネルギーを利用した発電機出力の安定化、ピーク負荷の低減（Ｐｅａｋ  Ｓｈａｖｉｎｇ）、負荷の標準化（Ｌｏａｄ  Ｌｅｖｅｌｉｎｇ）、非常電源などの機能として使用されている。
【０００９】
電力供給システムは貯蔵方式によって大きく物理的エネルギー貯蔵と化学的エネルギー貯蔵とで区分される。物理的エネルギー貯蔵としては揚水発電、圧縮空気貯蔵、フライホイールなどを利用した方法があり、化学的エネルギー貯蔵としてはリチウムイオンバッテリ、鉛蓄電池、Ｎａｓ電池などを利用した方法がある。
【発明の概要】
【発明が解決しようとする課題】
【００１０】
本発明の一実施例は、充電制御部の柔軟な構成を介して制御部が充電制御部を効率的に制御する電力供給システムを提供することを目的とする。
【００１１】
また、本発明の一実施例は、バッテリの出力を充電制御部別に制御するため充電制御部の容易な交換が可能な電力供給システムを提供することを目的とする。
【課題を解決するための手段】
【００１２】
本発明の一実施例による電力供給システムは、バッテリエネルギー貯蔵システムの充放電を制御する充電制御部と、前記バッテリエネルギー貯蔵システムから出力された電気エネルギー量を受信し、前記受信された電気エネルギー量及び複数の充電制御部の定格出力に基づいてそれぞれの充電制御部別に配分される電気エネルギー量を判断し、判断結果に基づいて複数の充電制御部を並列的に制御するシステム制御部と、を含む。
【００１３】
この際、システム制御部は、前記それぞれの充電制御部別に配分される電気エネルギー量を前記それぞれの充電制御部別定格出力の大きさに応じて判断する。
【００１４】
この際、前記システム制御部は、複数の充電制御部のうち一部のみを前記判断結果に基づいて制御する。
【００１５】
前記システム制御部は、前記電力供給システムに入力された時間情報、気象情報及びバッテリ残量情報のうち少なくとも一つを前記定格出力と共に考慮して判断する。
【発明の効果】
【００１６】
本発明の一実施例によって、電力供給システムにおいて、充電制御部の柔軟な構成を介してシステム制御部が充電制御部を効率的に制御することができる。
【００１７】
また、本発明の一実施例によって、電力供給システムはバッテリ出力を充電制御部別に制御するため、充電制御部の容易な交換が可能である。
【図面の簡単な説明】
【００１８】
【図１】電力供給システムの全体的な構成を示すブロック図である。
【図２】本発明の一実施例による電力供給システムのブロック図である。
【図３】本発明の一実施例による小容量電力供給システムのブロック図である。
【図４】本発明の一実施例による電力市場の構造を示す概念図である。
【図５Ａ】本発明の一実施例による複数の充電制御部を並列的に制御することを示す図である。
【図５Ｂ】本発明の一実施例による複数の充電制御部を並列的に制御することを示す図である。
【図６】本発明の一実施例による電力供給システムにおける複数の充電制御部を並列的に運用する過程を示すフローチャートである。
【発明を実施するための形態】
【００１９】
以下、本発明に関する実施例について図面を参照してより詳細に説明する。以下の説明で使用される構成要素に関する接尾辞である「モジュール」及び「部」は明細書作成の容易さのみを考慮して付与されるか混用されるものであって、それ自体で互いに区別される意味または役割を有するものではない。
【００２０】
本発明の利点及びその特徴、そしてそれらを達成する方法は、添付した図面と共に詳細に後述されている実施例を参照すると明確になるはずである。しかし、本発明は以下で開示される実施例に限らず互いに異なる多様な形態に具現されてもよいが、本実施例は本発明の開示が完全になるようにし、本発明の属する技術分野における通常の知識を有する者に発明の範囲を完全に知らせるために提供されるものであって、本発明は請求項の範囲によって定義されるのみである。明細書全体にわたって、同じ参照符号は同じ構成要素を指す。
【００２１】
本発明の実施例を説明するに当たって、関連する公知機能又は構成に対する具体的な説明が本発明の要旨を不明確にする恐れがあると判断される場合、その詳細な説明を省略する。そして、後述する用語は本発明の実施例における機能を考慮して定義された用語であって、これはユーザ、運用者の意図又は慣例などによって異なり得る。よって、その定義は本明細書全般にわたる内容に基づいて下されるべきである。
【００２２】
添付した図面の各ブロックとフローチャートの各ステップの組み合わせはコンピュータプログラムインストラクションによって行われてもよい。これらのコンピュータプログラムインストラクションは汎用コンピュータ、特殊用コンピュータ又はその他のプログラム可能なデータプロセッシングデバイスのプロセッサに搭載可能であるため、コンピュータ又はその他のプログラム可能なデータプロセッシングデバイスのプロセッサを介して行われるそのインストラクションが図面の各ブロック又はフローチャートの各ステップで説明された機能を行う手段を生成するようになる。これらのコンピュータプログラムインストラクションは特定方式に機能を具現するためにコンピュータ又はその他のプログラム可能なデータプロセッシングデバイスの指向するコンピュータで利用可能な又はコンピュータで判読可能なメモリに記憶されることもできるため、そのコンピュータで利用可能な又はコンピュータで判読可能なメモリに記憶されたインストラクションは図面の各ブロック又はフローチャートの各ステップで説明された機能を行うインストラクション手段を内包する製品を生産することもできる。コンピュータプログラムインストラクションはコンピュータ又はその他のプログラム可能なデータプロセッシングデバイス上に搭載することもできるため、コンピュータ又はその他のプログラム可能なデータプロセッシングデバイス上で一連の動作ステップが行われてコンピュータで実行されるプロセスを生成してコンピュータ又はその他のプログラム可能なデータプロセッシングデバイスを行うインストラクションは図面の各ブロック又はフローチャートの各ステップで説明された機能を行うためのステップを提供することもできる。
【００２３】
また、各ブロック又は各ステップは特定の論理的機能を実行するための一つ以上の実行可能なインストラクションを含むモジュール、セグメント又はコードの一部を示す。また、いくつかの代替実施例ではブロック又はステップで言及した機能が順番を逸脱して発生することもできることに注目すべきである。例えば、引き続き図示されている２つのブロック又はステップは、実際は実質的に同時に行われてもよく、或いはそのブロック又はステップが時々当たる機能に応じて逆順に行われてもよい。
【００２４】
図１は、電力供給システムの全体的な構成を示すブロック図である。図１に示したように、電力供給システム１００はパワープラント２、工場３、家庭４及び他のパワープラントまたは消費者５と一緒に一つのプラットフォームを構成する。
【００２５】
本発明の一実施例によると、パワープラント２で生産されたエネルギーは電力供給システム１００に貯蔵される。また、電力供給システム１００が貯蔵したエネルギーは更に工場３や家庭４に伝送され、他のパワープラントまたは消費者に販売されることもある。
【００２６】
詳しくは、パワープラント２で生産された電気エネルギーは環境や時間によってその変動の幅の大きい。例えば、太陽光発電の場合、気象状況または日出時間によって生産量が異なり得る。このように変動の幅が大きい場合、生産された電気エネルギーを工場３または家庭４で安定的に使用することが難しい。よって、パワープラントで生産された電気エネルギーを電力供給システムに一応貯蔵し、貯蔵した電気エネルギーを安定的に出力して工場３または家庭４で利用する。また、使用してから残った電気エネルギーを他の消費者５に販売することもできる。また、電力供給システム１００に貯蔵された電気エネルギー以上を工場３または家庭４で消費する場合、他のパワープラント５から電気エネルギーを購入することもできる。
【００２７】
図２は、本発明の一実施例による電力供給システムのブロック図である。
【００２８】
本発明の一実施例による電力供給システム１００は発電装置１０１、直流／交流コンバータ１０３、交流フィルタ１０５、交流／交流コンバータ１０７、系統１０９、充電制御部１１１、バッテリエネルギー貯蔵システム１１３、システム制御部１１５、負荷１１７及び直流／直流コンバータ１２１を含む。
【００２９】
発電装置１０１は電気エネルギーを生産する。発電装置が太陽光発電装置であれば、発電装置１０１は太陽電池アレイである。太陽電池アレイは複数の太陽電池モジュールを結合したものである。太陽電池モジュールは複数の太陽電池セルを直列または並列に連結し、太陽エネルギーを電気エネルギーに変換して所定の電圧と電流を発生する装置である。よって、太陽電池アレイは太陽エネルギーを吸収して電気エネルギーに変換する。また、発電システムが風力発電システムであれば、発電装置１０１は風力エネルギーを電気エネルギーに変換するファンである。但し、上述したように電力供給システム１００は発電装置１０１なしにバッテリエネルギー貯蔵システム１１３のみを介して電力を供給することができる。この場合、電力供給システム１００は発電装置１０１を含まなくてもよい。
【００３０】
直流／交流コンバータ１０３は直流電力を交流電力にコンバーティングする。発電装置１０１が供給した直流電力またはバッテリエネルギー貯蔵システム１１３が放電した直流電力を、充電制御部１１１を介して供給されて交流電力にコンバーティングする。
【００３１】
交流フィルタ１０５は交流電力にコンバーティングされた電力のノイズをフィルタリングする。具体的な実施例においては、交流フィルタ１０５は省略されてもよい。
【００３２】
交流／交流コンバータ１０７は、交流電力を系統１０９または負荷１１７に供給するように、ノイズがフィルタリングされた交流電力の電圧の大きさをコンバーティングして電力を系統１０９または独立した負荷に供給する。具体的な実施例においては、交流／交流コンバータ１０７は省略されてもよい。
【００３３】
系統１０９とは、多くの発電所、変電所、送配電線及び負荷が一体になって電力の発生及び利用が行われるシステムである。
【００３４】
負荷１１７は発電システムから電気エネルギーを供給されて電力を消耗する。
【００３５】
バッテリエネルギー貯蔵システム１１３は、発電装置１０１から電気エネルギーを供給されて充電し、系統１０９または負荷１１７の電力需給状況に応じて充電された電気エネルギーを放電する。詳しくは、系統１０９または負荷１１７が軽負荷であれば、バッテリエネルギー貯蔵システム１１３は発電装置１０１から遊休電力を供給されて充電する。系統１０９または負荷１１７が過負荷であれば、バッテリエネルギー貯蔵システム１１３は充電された電力を放電して系統１０９または負荷１１７に電力を供給する。系統１０９または負荷１１７の電力需給状況は時間帯別に大きな差を有する。よって、電力供給システム１００が、発電装置１０１が供給する電力を系統１０９または負荷１１７の電力需給状況を考慮せずに一律的に供給することは非効率である。よって、発電システム１００は、バッテリエネルギー貯蔵システム１１３を使用して系統１０９または負荷１１７の電力需給状況に応じて電力供給量を調節する。それによって、発電供給システム１００は系統１０９または負荷１１７に効率的に電力を供給することができる。
【００３６】
直流／直流コンバータ１２１は、バッテリエネルギー貯蔵システム１１３が供給するか供給される直流電力の大きさをコンバーティングする。具体的な実施例においては、直流／直流コンバータ１２１は省略されてもよい。
【００３７】
システム制御部１１５は、直流／交流コンバータ１０３及び交流／交流コンバータ１０７の動作を制御する。また、システム制御部１１５はバッテリエネルギー貯蔵システム１１３の充電と放電を制御する充電制御部１１１を含む。充電制御部１１１はバッテリエネルギー貯蔵システム１１３の充電及び放電を制御する。系統１０９または負荷１１７が過負荷であれば、充電制御部１１１はバッテリエネルギー貯蔵システム１１３から電力を供給されて系統１０９または負荷１１７に電力を伝達する。系統１０９または負荷１１７が軽負荷であれば、充電制御部１１１は外部の電力供給源または発電装置１０１から電力を供給されてバッテリエネルギー貯蔵システム１１３に伝達する。
【００３８】
図３は、本発明の一実施例による小容量電力供給システムのブロック図である。
【００３９】
本発明の一実施例による小容量電力供給システム２００は、発電装置１０１、直流／交流コンバータ１０３、交流フィルタ１０５、交流／交流コンバータ１０７、系統１０９、充電制御部１１１、バッテリエネルギー貯蔵システム１１３、システム制御部１１５、第１直流／直流コンバータ１１９、負荷１１７及び第２直流／直流コンバータ１２１を含む。
【００４０】
図２の本発明の一実施例と全て同じであるが、第１直流／直流コンバータ１１９を更に含む。第１直流／直流コンバータ１１９は発電装置１０１が発電する直流電力の電圧をコンバーティングする。小容量電力供給システム２００は発電装置１０１が生産する電力の電圧が小さい。よって、発電装置１０１が供給する電力を直流／交流コンバータに入力するためには昇圧する必要がある。第１直流／直流コンバータ１１９は電圧を発電装置１０１が生産する電力の電圧を直流／交流コンバータ１０３に入力可能な電圧の大きさにコンバーティングする。
【００４１】
図４は、本発明の一実施例による電力市場の構造を示す概念図である。
【００４２】
図４を参照すると、電力市場の構造は発電子会社、独立発電事業者、ＰＰＡ事業者、区域電気事業者、韓国電力取引所、韓国電力公社、消費者、大規模の消費者及び特定区域消費者を含む。上述した国内発電会社は２０１４年現在、韓国電力公社から分離された６社の発電子会社と２８８社の独立発電事業者がある。
【００４３】
発電子会社、独立発電事業者、ＰＰＡ事業者及び区域電気事業者は発電会社を意味し、それぞれが所有する発電機器から発電可能な電力量による供給可能容量を韓国電力取引所に入札し、入札による収益を獲得する。
【００４４】
発電子会社及び独立発電事業者それぞれは、所有する発電機別の供給可能発電量を毎日韓国電力取引所に入札し、韓国電力取引所は電力市場に対する運営を担当する。
【００４５】
韓国電力公社は電力市場で決定された価格で電力を購入し、購入した電力を消費者に供給する。それによって、韓国電力公社は送電、配電及び販売を担当する。
【００４６】
ＰＰＡ事業者は電力需給契約（ＰＰＡ：Ｐｏｗｅｒ  Ｐｕｒｃｈａｓｅ  Ａｇｒｅｅｍｅｎｔ）事業者を意味し、ＰＰＡ事業者は上述した電力市場に電力可能容量を入札する。そして、ＰＰＡ事業者は、電力取引代金を電力事情で決定される金額ではなく韓国電力公社との需給契約による価格を適用するように精算する。そして、それによる精算規則が電力市場精算規則情報に含まれる。
【００４７】
区域電気事業者は一定規模の発電設備を介して電力を生産し、許可された特定区域内で生産された電力を直接販売する事業者である。また、区域電気事業者は不足な電力を韓国電力公社や電力市場から直接購入するか、余剰電力を韓国電力公社や電力市場に販売する。
【００４８】
一方、契約電力が３万ｋＷ以上の大容量顧客は、韓国電力公社を介さずに電力市場から必要な電力を直接購入することができる。
【００４９】
一方、バッテリエネルギー貯蔵システム１１３を制御する充電制御部１１１は一つの電力供給システム１００に複数個が存在する。また、複数個の充電制御部１１１はそれぞれ異なる特性を有する。例えば、バッテリエネルギー貯蔵システム１１３に貯蔵された電気エネルギーを工場４または家庭３で使用可能な形態に変換する効率がそれぞれ異なり得る。また、最も高い効率で変換を行う電気エネルギーの出力程度が各制御部別に異なり得る。
【００５０】
よって、本発明の一実施例では、バッテリエネルギー貯蔵システム１１３から出力される電気エネルギーを処理する割合を複数の充電制御部１１１ごとに異なるように配分して最高の変換効率を得る電力供給システムを提案する。また、複数の充電制御部１１１別に電気エネルギーの変換効率を異なるようにして、一部の充電制御部１１１が故障した場合にも故障した充電制御部１１１を簡単に交換することができる電力供給システムを提案する。
【００５１】
図５Ａ及び図５Ｂは本発明の一実施例による複数の充電制御部１１１を並列的に制御することを示す。
【００５２】
図５Ａに示したように、一般に電力供給システム１００がシステム制御部１１５を介して複数の充電制御部１１１を運用しながら、各充電制御部１１１が同じ割合の電気エネルギーの変換を行っていた。この場合、制御ロジックを設計するのに容易な面はあるが、各充電制御部１１１別に異なる特性を反映することができない問題点があった。また、複数の充電制御部１１１が常に電気エネルギーの変換を行うことで、一部の充電制御部１１１が故障した場合に対処することが難しい問題点があった。例えば、バッテリエネルギー貯蔵システム１１３が貯蔵している電気エネルギーの３０％を出力すると仮定する場合、従来は３つの充電制御部１１１が出力された電気エネルギーを同じ割合で変換していた。
【００５３】
しかし、第１充電制御部が全体貯蔵容量の１０％を変換する場合に最も高い効率を示すことに対し、第２充電制御部及び第３充電制御部は貯蔵容量の３０％を変換する場合に最も高い変換効率を示す可能性がある。ここで、最も高い変換効率を示す電気エネルギーの出力量を定格出力という。
【００５４】
この際、第２充電制御部及び第３充電制御部の場合、低い効率を示す区間で変換を行うことで、全体の電力供給システムの側面で非効率的な充電制御部の並列運用になり得る。
【００５５】
よって、本発明の一実施例では、図５Ｂに示したように、複数の充電制御部１１１別に異なる割合で電気エネルギー変換を行うように制御する。具体的な実施例においては、システム制御部１１５が複数の充電制御部１１１を制御する際に各充電制御部１１１の特性に応じて変換割合を調節する。例えば、第１充電制御部が貯蔵された全体の電気エネルギーの３０％を変換する際に最も高い効率を示す場合、システム制御部１１５は第１充電制御部にバッテリエネルギー貯蔵システム１１３から出力された３０％の電気エネルギーを全て割り当てる。そして、第２充電制御部及び第３充電制御部には電気エネルギーを割り当てない。
【００５６】
結果的に、バッテリエネルギー貯蔵システム１１３から出力される電気エネルギーの量に応じて最も効率的な変換が可能になるように、複数の充電制御部１１１を制御し、全体の電力供給システムの効率を極大化する。また、使用しない充電制御部１１１が存在する場合、該当充電制御部１１１の寿命を延ばすことができる。また、一部の充電制御部１１１が故障した場合、故障していない充電制御部１１１のみで電気エネルギーが変換されるように制御することで、故障した充電制御部１１１の交換を容易にすることができる効果がある。
【００５７】
一実施例において、電力供給システム１００は時間帯別に充電制御部１１１の並列的運用を制御することができる。例えば、電力供給システム１００は高い定格出力を有する第１充電制御部１１１及び低い定格出力を有する第２充電制御部１１１を含む。仮に、昼時間帯の場合には電気エネルギーの消費量が多いため高い定格出力を有する充電制御部１１１を運用することが効率的である。そして、夜時間帯の場合には相対的に電気エネルギーの消費量が昼時間帯に比べて少ないため、低い定格出力を有する充電制御部１１１を運用することが効率的である。
【００５８】
よって、電力供給システム１００は、累積したデータによる一日の電気エネルギー使用量を貯蔵し、それに基づいてどの充電制御部１１１を運用するのかを決定する。詳しくは、電力供給システム１００はシステム制御部１１５を介して、昼時間には第１充電制御部１１１のみを運用し、夜時間には第２充電制御部１１１のみを運用するようにする。
【００５９】
他の実施例においては、電力供給システム１００は、気象情報に応じて充電制御部１１１を並列的に運用する。詳しくは、暑いか寒い日には電気エネルギーの消費が多いため、高い定格出力を有する充電制御部１１１を運用することが効率的である。よって、予め貯蔵されたまたはアップデートされる気象情報に基づいて電力供給システム１００はシステム制御部１１５を介して並列的充電制御部１１１の運用を制御する。
【００６０】
また他の実施例においては、電力供給システム１００はシステム制御部１１５を介してバッテリエネルギー貯蔵システム１１３に貯蔵された電気エネルギー量に基づいて複数の充電制御部１１１を制御する。
【００６１】
例えば、システム制御部１１５がバッテリエネルギー貯蔵システム１１３に残った電気エネルギーの量が少ないと判断する場合、低い定格出力を有する充電制御部１１１のみを運用するように制御する。他の例として、バッテリエネルギー貯蔵システム１１３に残った電気エネルギーの量が多いと判断する場合、高い定格出力を有する充電制御部１１１のみを運用する。
【００６２】
図６は、本発明の一実施例による電力供給システム１００における複数の充電制御部１１１を並列的に運用する過程を示すフローチャートである。
【００６３】
システム制御部１１５は、バッテリエネルギー貯蔵システム１１３から電気エネルギーの出力を受信する（Ｓ１０１）。
【００６４】
システム制御部１１５は受信した出力量に基づいて複数の充電制御部１１１に配分される電気エネルギー量を判断する（Ｓ１０３）。詳しくは、システム制御部１１５は現在電力供給システムに含まれた充電制御部１１１の定格出力に関するデータを有している。定格出力に関するデータは最初の設計の際に記憶されるか、充電制御部１１１が交換される際に新たに記憶されてもよい。よって、システム制御部１１５は記憶された定格出力に関するデータを電気エネルギー出力量と比べて複数の充電制御部１１１で変換される電気エネルギー量を判断する。
【００６５】
詳しくは、システム制御部１１５は、各充電制御部１１１別の定格出力量に最も近いように、充電制御部１１１に配分されるバッテリエネルギー貯蔵システム１１３の出力を判断する。また、システム制御部１１５は、定格出力値と共に現在の時間、気象条件及びバッテリエネルギー貯蔵システム１１３の残量のうち少なくとも一つを共に考慮して充電制御部１１１に配分されるバッテリエネルギー貯蔵システム１１３の出力を判断する。
【００６６】
よって、システム制御部１１５は、各充電制御部１１１別に異なる、変換される電気エネルギー量を配分し、配分量は各充電制御部１１１の定格出力の大きさによって決定される。
【００６７】
システム制御部１１５は、前記判断結果に基づいて複数の充電制御部１１１の並列運用を制御する（Ｓ１０５）。詳しくは、システム制御部１１５は、各充電制御部１１１にどれぐらいの電気エネルギーの変換が行われるのかを制御する。具体的な実施例において、一部の充電制御部１１１のみが運用されてもよく、全ての充電制御部１１１が運用されるか互いに異なるエネルギーの変換を行ってもよい。
【００６８】
前記のように記載された実施例は説明された構成と方法が限定されて適用されるのではなく、実施例は多様な変形が行われるように各実施例の全部または一部が選択的に組み合わされて構成されてもよい。
【００６９】
また、以上では本発明の好ましい実施例について図示し説明したが、本発明は上述した特定実施例に限定されず、特許請求の範囲で請求する本発明の要旨を逸脱することなく該当発明が属する技術分野における通常の知識を有するものによって多様な変形実施が可能であることはもちろんであり、このような変形実施は本発明の技術的思想や展望から個別に理解されてはならない。
【符号の説明】
【００７０】
２    パワープラント
３    工場
４    家庭
５    他のパワープラントまたは消費者
１００    電力供給システム
１０１    発電装置
１０３    直流／交流コンバータ
１０５    交流フィルタ
１０７    交流／交流コンバータ
１０９    系統
１１１    充電制御部
１１３    バッテリエネルギー貯蔵システム
１１５    システム制御部
１１７    負荷
１１９    第１直流／直流コンバータ
１２１    第２直流／直流コンバータ
２００    小容量電力供給システム
【図１】
2016158483.tif 000003
【図２】
2016158483.tif 000004
【図３】
2016158483.tif 000005
【図４】
2016158483.tif 000006
【図５Ａ】
2016158483.tif 000007
【図５Ｂ】
2016158483.tif 000008
【図６】
2016158483.tif 000009